(57)【要約】【課題】クラブ番手間の十分な飛距離差を確保しながらも各クラブで同様の振り心地を実現することが可能なアイアン型ゴルフクラブセットを提供する。【解決手段】ゴルフクラブセットは、少なくとも２本のアイアン型のゴルフクラブからなるゴルフクラブセットであって、各ゴルフクラブは、略同一のクラブ慣性モーメントを有し、各ゴルフクラブのヘッドのロフト角が大きくなるにつれて、上記ヘッドの反発係数が小さくなるように設計されている。【選択図】図３
2018153539.tif 000002
【特許請求の範囲】
【請求項１】
少なくとも２本のアイアン型のゴルフクラブからなるゴルフクラブセットであって、
各ゴルフクラブは、略同一のクラブ慣性モーメントを有し、各ゴルフクラブのヘッドのロフト角が大きくなるにつれて、前記ヘッドの反発係数が小さくなるように設計されている
ゴルフクラブセット。
【請求項２】
請求項１に記載のゴルフクラブセットであって、
前記各ゴルフクラブの前記ヘッドのフェース部は、前記反発係数に応じた異なる材料で製造される
ゴルフクラブセット。
【請求項３】
請求項１または２に記載のゴルフクラブセットであって、
前記各ゴルフクラブの前記ヘッドのフェース部は、前記ロフト角が大きいほど大きい厚みを有する
ゴルフクラブセット。
【請求項４】
請求項１乃至３のいずれかに記載のゴルフクラブセットであって、
前記各ゴルフクラブの前記ヘッドは、そのフェース部の中心位置から重心までの距離が、前記ロフト角が大きいほど大きくなるように設計される
ゴルフクラブセット。
【請求項５】
請求項１乃至４のいずれかに記載のゴルフクラブセットであって、
前記各ゴルフクラブの前記ヘッドは、前記反発係数に応じた異なる製造方法で製造される
ゴルフクラブセット。
【請求項６】
請求項１乃至５のいずれかに記載のゴルフクラブセットであって、
前記各ゴルフクラブは、略同一の長さを有する
ゴルフクラブセット。
【請求項７】
請求項１乃至６のいずれかに記載のゴルフクラブセットであって、
前記各ゴルフクラブの前記ヘッドは、略同一の重量を有する
ゴルフクラブセット。
【発明の詳細な説明】
【技術分野】
【０００１】
本発明は、アイアン型のゴルフクラブセットに関する。
【背景技術】
【０００２】
従来のアイアン型のゴルフクラブセットは、典型的には、クラブがロングアイアンからショートアイアン及びウェッジへと進む（番手が大きくなる／想定打撃距離が短くなる）にしたがって、クラブの長さが徐々に小さくなり、またそのクラブヘッドのロフト角及びライ角並びに重量が徐々に大きくなっているものである。
【０００３】
そのため、ゴルファーは、セットに含まれる各クラブから同一の振り心地を得ることはできず、クラブによって不得手が生じる原因の一つとなっていた。
【０００４】
この点に関して、下記特許文献１には、各ゴルフクラブを同一長さにし、かつ、各ゴルフクラブのクラブヘッドを同一重量及び同一ライ角にし、打撃距離の長短に応じてロフト角を変えたゴルフクラブセットが開示されている。
【０００５】
また下記特許文献２には、キャビティバック構造のロングアイアン及びマッスルバック構造のショートアイアンを含み、背面フェース構造が純粋なキャビティバックからキャビティ・マッスルバックを介して純粋なマッスルバックへと緩やかに移行し、オフセット、フェース面積、ロフト角、オフセット、反発係数等のクラブの設計パラメータがセットを通じて系統的に変化するアイアンクラブセットが開示されている。
【先行技術文献】
【特許文献】
【０００６】
【特許文献１】実開昭５４−９４４６３号公報
【特許文献２】特開２００６−２８９１０５号公報
【発明の概要】
【発明が解決しようとする課題】
【０００７】
しかしながら、上記特許文献１に記載の技術においては、ゴルファーはセット内の全てのクラブを同様の振り心地で振ることはできるものの、主にロフト角のみでクラブ番手間の飛距離の差を出す必要があるため、一般的なゴルフクラブセットよりもクラブ番手間の飛距離差が小さくなる。特にゴルフ初級者は、番手間の飛距離差が小さく、また小さなミスによって番手間で飛距離が変わらないことも往々にあるため、使いづらいクラブセットとなってしまう。また、広い範囲の飛距離をカバーするにはセットに含まれるクラブの本数を増やす必要があるが、コストがかかるばかりでなく、そもそもクラブの本数についてはルールで上限が決められているため、限界がある。
【０００８】
また、上記特許文献２に記載の技術においては、クラブがロングアイアンからショートアイアンへ行くにしたがってその構造がキャビティバック構造からマッスルバック構造へ変化するため、ゴルファーはセット内の全てのクラブにおいて同様の振り心地を得ることは困難である。
【０００９】
以上のような事情に鑑み、本発明の目的は、クラブ番手間の十分な飛距離差を確保しながらも各クラブで同様の振り心地を実現することが可能なアイアン型のゴルフクラブセットを提供することにある。
【課題を解決するための手段】
【００１０】
上記目的を達成するため、本発明の一形態に係るゴルフクラブセットは、少なくとも２本のアイアン型のゴルフクラブからなるゴルフクラブセットであって、各ゴルフクラブは、略同一のクラブ慣性モーメントを有し、各ゴルフクラブのヘッドのロフト角が大きくなるにつれて、上記ヘッドの反発係数が小さくなるように設計されている。
【００１１】
この構成により、各クラブのクラブ慣性モーメントを略同一とし、かつ、クラブのロフト角が大きくなるにつれてヘッドの反発係数を小さくすることで、クラブ番手間の十分な飛距離差を確保しながらも各クラブで同様の振り心地を実現することが可能なアイアン型のゴルフクラブセットを提供することができる。
【００１２】
上記各ゴルフクラブの上記ヘッドのフェース部は、上記反発係数に応じた異なる材料で製造されてもよい。異なる材料とは、例えば軟鉄、チタン合金、ステンレス鋼、アルミ合金、樹脂、複合材料等、異なる反発係数（弾性率）を有する材料である。
【００１３】
上記各ゴルフクラブの上記ヘッドのフェース部は、上記ロフト角が大きいほど大きい厚みを有してもよい。
【００１４】
上記各ゴルフクラブの上記ヘッドは、そのフェース部の中心位置から重心までの距離が、上記ロフト角が大きいほど大きくなるように設計されてもよい。
【００１５】
上記各ゴルフクラブの上記ヘッドは、上記反発係数に応じた異なる製造方法で製造されてもよい。製造方法とは、例えば、ヘッド本体とフェース部とを一体鋳造により製造する方法、ヘッド本体とフェース部とをカシメ、接着、溶着により接合することで製造する方法、フェース部をカップ型にしてヘッド本体と接合する方法等であるが、これらに限られない。
【００１６】
上記各ゴルフクラブは、略同一の長さを有してもよい。
【００１７】
上記各ゴルフクラブの上記ヘッドは、略同一の重量を有してもよい。
【発明の効果】
【００１８】
以上説明したように、本発明によれば、クラブ番手間の十分な飛距離差を確保しながらも各クラブで同様の振り心地を実現することが可能なアイアン型のゴルフクラブセットを提供することができる。しかし、この効果は本発明を限定するものではない。
【図面の簡単な説明】
【００１９】
【図１】本発明の第１実施形態に係るゴルフクラブセットの外観を示した図である。
【図２】本発明の第１実施形態に係るゴルフクラブセットに含まれるゴルフクラブのうち１つのヘッド周辺部分の外観を示した図である。
【図３】本発明の第１実施形態に係るゴルフクラブセットの各ゴルフクラブの仕様を示した表である。
【図４】本発明の第２実施形態に係るゴルフクラブセットの各ゴルフクラブの仕様を示した表である。
【発明を実施するための形態】
【００２０】
以下、図面を参照しながら、本発明の実施形態を説明する。
【００２１】
［第１実施形態］
まず、本発明の第１実施形態について説明する。
【００２２】
図１は、本実施形態に係るゴルフクラブセットの外観を示した図である。図２は、当該ゴルフクラブセットに含まれるゴルフクラブのうち１つのヘッド周辺部分の外観を示した図である。また図３は、当該ゴルフクラブセットの各ゴルフクラブの仕様を示した表である。
【００２３】
図１に示すように、本実施形態に係るゴルフクラブセット１００は、ロフト角θが小さい順に、例えば５番アイアン（５Ｉ）、６番アイアン（６Ｉ）、７番アイアン（７Ｉ）、８番アイアン（８Ｉ）、９番アイアン（９Ｉ）、ピッチングウェッジ（Ｐｗ）の６本のアイアン型のゴルフクラブ１０によって構成されている。
【００２４】
図１及び図２に示すように、各ゴルフクラブ１０は、ヘッド１と、当該ヘッド１に例えばソケット（フェルール）４等を介して取り付けられるシャフト２と、シャフト２の一端に設けられたグリップ３を有する。ヘッド１は、打球面となるフェース部１ａを有する。フェース部１ａは、上記シャフト２を軸として上記ロフト角θを形成する。
【００２５】
当該ゴルフクラブセット１００を構成する各ゴルフクラブ１０は、略同一のクラブ慣性モーメントを有する。「略同一」とは、完全に同一である場合のみならず、実質的に同一である場合も含む意味であり、例えば、各ゴルフクラブ１０のグリップ３の端部を原点にしたクラブ慣性モーメントをＭＩｃとした場合、各ゴルフクラブ１０のＭＩｃが最大のゴルフクラブ１０とＭＩｃが最小のゴルフクラブ１０とのＭＩｃの差が100kg・cm2以内とされる。また、各ゴルフクラブ１０のＭＩｃは、例えば1800kg・cm2≦ＭＩｃ≦3000kg・cm2の範囲で設計され得る。
【００２６】
当該略同一のクラブ慣性モーメントを実現するため、図１及び図３に示すように、各ゴルフクラブ１０のクラブ長さＬは略同一（例えば、Ｌが最大のゴルフクラブ１０とＬが最小のゴルフクラブ１０とのＬの差が1.5inch以内）とされ、各ゴルフクラブ１０のヘッド１の重量Ｍｈも略同一（例えば、Ｍｈが最大のゴルフクラブ１０とＭｈが最小のゴルフクラブ１０とのＭｈの差が10g以内）とされる。また、各ゴルフクラブ１０のヘッド１の重量Ｍｈは、例えば150ｇ≦Ｍｈ≦400ｇの範囲に設計され得る。
【００２７】
なお、図３の例では、各ゴルフクラブ１０のクラブ長さＬは37inchに設計されているが、これに限られず、当該Ｌは、例えば30inch≦Ｌ≦48inchの範囲で設計され得る。
【００２８】
また、図３に示すように、各ゴルフクラブ１０は、ヘッド１のロフト角θ（番手）が大きくなるにつれて、当該ヘッド１の反発係数（ＣＯＲ値）が小さくなるように設計されている。例えば同図の例では、ＣＯＲ値は、５番アイアンでは0.80、６番アイアンでは0.77、７番アイアンでは0.74、８番アイアンでは0.71、９番アイアンでは0.68、ピッチングウェッジでは0.65というように、番手が大きくなるにつれて徐々に小さくなる。
【００２９】
当該反発係数をロフト角θが大きくなるにつれて小さくなるように設計する手法としては、各ゴルフクラブ１０のフェース部１ａの材料、厚み、フェース部１ａの中心位置からヘッド１の重心までの距離、ヘッド１の製造方法（構造）等のうち少なくとも１つを番手に応じて変更することが挙げられる。
【００３０】
フェース部１ａの材料を変更する手法では、具体的には、反発係数を高めに設定する（ロフト角θが小さめの）ゴルフクラブ１のフェース部１ａには、軟鉄、チタン合金等の比較的弾性率が低い材料が用いられ、反発係数を小さめに設定する（ロフト角θが大きめの）ゴルフクラブ１のフェース部１ａには、ステンレス鋼、アルミ合金、樹脂（ＦＲＰ（Fiber-Reinforced Plastics）等）、複合材料（炭素繊維強化炭素複合材料等）等の比較的弾性率が高い材料が用いられる。ただし、これらは各材料の耐久性や重量も考慮して決定される。
【００３１】
本実施形態では、図３に示すように、各ゴルフクラブ１０のフェース部１ａの材料は、５番アイアンと６番アイアンではマルエージング鋼（ＡＭ３５５）が用いられ、それよりロフト角θが大きい７番アイアン〜ピッチングウェッジではステンレス鋼（ＳＵＳ３０４）が用いられている。
【００３２】
フェース部１ａの厚みを変更する手法では、具体的には、各ゴルフクラブ１０のロフト角θが大きくなる（設定すべき反発係数が小さくなる）につれてフェース部１ａの厚みが大きくなるように設計される。
【００３３】
本実施形態では、図３に示すように、フェース部１ａの厚みは、５番アイアンでは2.0mm、６番アイアン及び７番アイアンでは2.5mm、８番アイアン〜ピッチングウェッジでは3.0mmとされる。これは、厚みが2.0mm未満では耐久性が低くなってしまう可能性があり、厚みが3.0mmより大きいと反発係数の減少効果がそれほど得られない可能性が高いとの知見があるからである。
【００３４】
フェース部１ａの中心位置からヘッド１の重心までの距離を変更する手法では、具体的には、ロフト角θが大きくなる（設定すべき反発係数が小さくなる）ほど、当該距離が大きくなるように設計される。フェース部１ａの中心位置とは、打点として想定される位置である。
【００３５】
本実施形態では、図３に示すように、フェース部１ａの中心位置からヘッド１の重心までの距離は、５番アイアン及び６番アイアンでは0.0mm（同一位置）とされ、７番アイアンでは5.0mm、８番アイアンでは10.0mm、９番アイアンでは15.0mm、ピッチングウェッジでは20.0mmとされる。
【００３６】
ヘッド１の製造方法（構造）を変更する手法では、具体的には、反発係数を高めに設定する（ロフト角θが小さめの）ゴルフクラブ１のフェース部１ａは、例えばフェース部１ａとヘッド本体とが一体鋳造やカップフェース構造によって製造され、反発係数を小さめに設定する（ロフト角θが大きめの）ゴルフクラブ１のフェース部１ａは、例えばフェース部１ａとヘッド本体とがカシメや接着等によって接合されて製造される。
【００３７】
また、各ゴルフクラブ１０のクラブ慣性モーメントが略同一であることに概ね包括されるが、図３に示すように、各ゴルフクラブ１０のクラブ総重量、グリップ重量、クラブバランス等も略同一に設計される。
【００３８】
このように、本実施形態に係るゴルフクラブセット１００によれば、各ゴルフクラブ１０のクラブ慣性モーメントを略同一とし、かつ、各ゴルフクラブ１０のロフト角が大きくなるにつれてヘッド１の反発係数を小さくすることで、ロフト角のみでクラブ番手間の飛距離差を出している従来の一般的なゴルフクラブと同等以上の十分な飛距離差（例えば１０〜１５ヤード；図３参照）を確保しながらも、各ゴルフクラブ１０で同様の振り心地を実現することができる。
【００３９】
またこれにより、ゴルファーの各ゴルフクラブ１０のスイングリズムが一定化することで、練習効率及び熟練度の向上も図れる。
【００４０】
［第２実施形態］
次に、本発明の第２実施形態について説明する。本実施形態について、上記第１実施形態と同一の機能または構成を有する箇所については説明を省略または簡略化する。
【００４１】
図４は、本実施形態に係るゴルフクラブセットの各ゴルフクラブの仕様を示した表である。
【００４２】
本実施形態では、ゴルフクラブセットを２つのセットに分けて構成している。
【００４３】
すなわち、同図に示すように、本実施形態では、５番アイアン〜ピッチングウェッジまでの６本のゴルフクラブ１０を、５番アイアン〜７番アイアン（第１セット）と、８番アイアン〜ピッチングウェッジ（第２セット）の３本ずつのセットに分け、各セット間で独立して、各ゴルフクラブ１０の慣性モーメント及び反発係数を設計している。
【００４４】
より具体的には、当該ゴルフクラブセット１００においては、クラブ慣性モーメント及びクラブ長さＬは、各セットに含まれる各ゴルフクラブ１０においては略同一であるが、セット間では異なる。
【００４５】
具体的には、クラブ長さＬは、第１セットにおいては38inchに設計されるが、第２セットにおいては35inchに設計されている。ヘッド重量及びクラブバランスはいずれのセットにおいても略同一である。
【００４６】
また、各ゴルフクラブ１の反発係数（ＣＯＲ値）は、第１セットにおいては、５番アイアンが0.80、６番アイアンが0.77、８番アイアンが0.74と、ロフト角θの増加に応じて小さくなるよう設計されており、第２セットにおいては、第１セットと同様に、８番アイアンが0.80、９番アイアンが0.77、ピッチングウェッジが0.74と、ロフト角θの増加に応じて小さくなるよう設計されている。
【００４７】
このような反発係数の設定を実現するため、フェース部１ａの材料は、第１セットにおいては、５番アイアン及び６番アイアンではマルエージング鋼（ＡＭ３５５）が用いられ、７番アイアンではステンレス鋼（ＳＵＳ３０４）が用いられ、第２セットにおいては、第１セットと同様に、８番アイアン及び９番アイアンではマルエージング鋼が用いられ、ピッチングウェッジではステンレス鋼が用いられている。
【００４８】
また、フェース部１ａの厚みは、第１セットにおいては、５番アイアンは2.0mm、６番アイアン及び７番アイアンは2.5mmに設計され、第２セットにおいては、第１セットと同様に、８番アイアンは2.0mm、９番アイアン及びピッチングウェッジは2.5mmに設計されている。
【００４９】
そして、フェース部１ａの中心位置からヘッド１の重心までの距離についても、第１セットにおいては、５番アイアン及び６番アイアンは0.0mm、７番アイアンは5.0mmに設計され、第２セットにおいては、第１セットと同様に、８番アイアン及び９番アイアンは0.0mm、ピッチングウェッジは5.0mmに設計されている。
【００５０】
さらに、ヘッド１の製造方法についても、第１セットにおいては、５番アイアン及び６番アイアンは鋳造により製造され、７番アイアンはカシメによって製造され、第２セットにおいては、第１セットと同様に、８番アイアン及び９番アイアンは鋳造によって製造され、ピッチングウェッジはカシメによって製造される。
【００５１】
この構成では、ゴルフクラブ１０の長さは２種類となるが、反発係数を連続的に変更する必要があるゴルフクラブ１０の本数が上記第１実施形態に比べて少なくなるため、反発係数の設計が容易となる。このような複数セットの他の例として、２本ずつのセットを３種類、計６本のゴルフクラブセットとすることも可能である。
【００５２】
［変形例］
本発明は上述の実施形態にのみ限定されるものではなく、本発明の要旨を逸脱しない範囲内において種々変更され得る。
【００５３】
上述の各実施形態では、セット内の各ゴルフクラブ１０のロフト角θの増加に応じてヘッド１の反発係数を小さくするための手法として、各ゴルフクラブ１０のフェース部１ａの材料、厚み、フェース部１ａの中心位置からヘッド１の重心までの距離、ヘッド１の製造方法（構造）の全てを番手に応じて変更していたが、これらのうち１つの手法のみが用いられてもよく、またこれらのうち２つまたは３つが自由に組み合わされて用いられてもよい。
【００５４】
また、それら以外の反発係数の変更手法として、単にフェース部１ａの厚みをロフト角θの増加に応じて大きくするのではなく、フェース部１ａの厚み勾配を変更してもよい。すなわち、ロフト角θの増加に応じて、フェース部１ａの厚みの小さい部分の割合が厚みの大きい部分の割合に比べて大きくなるように設計してもよい。
【００５５】
上述の実施形態においては、ゴルフクラブセット１００は５番アイアンからピッチングウェッジまでの６本のゴルフクラブ１０で構成されたが、ゴルフクラブセット１００を構成するアイアンの種類（番手）及び本数はこれに限られない。例えば、当該６本のゴルフクラブ１０に、５番アイアンよりもロフト角θが小さい４番アイアン、３番アイアン、２番アイアン、１番アイアン、並びに、ピッチングウェッジよりもロフト角θが大きいアプローチウェッジ及びサンドウェッジといったゴルフクラブを加えた全てのアイアン型ゴルフクラブから、番手の連続した少なくとも２本のゴルフクラブが選択されてゴルフクラブセット１００が構成されればよい。
【符号の説明】
【００５６】
１…ヘッド
１ａ…フェース部
２…シャフト
３…グリップ
１０…ゴルフクラブ
１００…ゴルフクラブセット
【図１】
2018153539.tif 000003
【図２】
2018153539.tif 000004
【図３】
2018153539.tif 000005
【図４】
2018153539.tif 000006